(57)【要約】【課題】  放送信号受信のままの状態で、ＵＲＬアドレスの入力や選択動作を行うことなく、直接ウェブサイトへのアクセスが行える携帯端末を提供する。【解決手段】  ＵＲＬ判定部１９は現在のテレビチャネルをテレビ制御部１８に要求してチャネル情報を入手し、制御部１３から通知されたＵＲＬアドレスとともに１対の情報として記憶部１４に格納する。テレビの受信を開始した後、現在受信中のチャネルにて放送されているテレビ番組に関するウェブコンテンツに対するアクセスが要求されると、制御部１３はＵＲＬ判定部１９に対してリンクＵＲＬアドレスが入力済みかの判定を要求し、ＵＲＬアドレスが入力済みであれば、判定結果とともに通知されたＵＲＬアドレスに対して無線制御部１２及びアンテナ１１を介してウェブアクセスを開始する。【選択図】      図１                                                  
2005025661.tif 000002
【特許請求の範囲】
【請求項１】
放送チャネルが設定された時に当該放送を受信するための受信機能を含む携帯端末であって、前記放送チャネルに関連するＵＲＬ（Ｕｎｉｆｏｒｍ  Ｒｅｓｏｕｒｃｅ  Ｌｏｃａｔｏｒ）アドレスを予め前記放送チャネル情報と一対で登録保存する記憶手段と、現在受信中の放送チャネルにリンクしたウェブコンテンツにアクセスする際にインタネットアクセスのためのＵＲＬアドレスが入力済みかを前記記憶手段の記憶内容を基に判定する判定手段と、前記判定手段で前記入力済みと判定された時にその入力済みのＵＲＬアドレスを基に前記ウェブコンテンツに対して直接アクセスする手段とを有することを特徴とする携帯端末。
【請求項２】
前記判定手段が入力済みでないと判定した時に、入力されたＵＲＬアドレスを現在受信中の放送チャネルとを対応させて前記記憶手段に記憶するとともに、当該ＵＲＬアドレスを基に前記ウェブコンテンツに対して直接アクセスすることを特徴とする請求項１記載の携帯端末。
【請求項３】
前記放送の信号に混在する文字情報内に設定されたＵＲＬアドレスを認識する認識手段を含み、前記認識手段で認識されたＵＲＬアドレスを前記記憶手段に反映させることを特徴とする請求項１または請求項２記載の携帯端末。
【請求項４】
前記放送チャネルは、テレビチャネル情報とラジオチャネル情報とのうちの少なくとも一方であることを特徴とする請求項１から請求項３のいずれか記載の携帯端末。
【請求項５】
放送チャネルが設定された時に当該放送を受信するための受信機能を含む携帯端末のウェブコンテンツ取得方法であって、前記携帯端末側に、現在受信中の放送チャネルにリンクしたウェブコンテンツにアクセスする際にインタネットアクセスのためのＵＲＬアドレスが入力済みかを前記放送チャネルに関連するＵＲＬ（Ｕｎｉｆｏｒｍ  Ｒｅｓｏｕｒｃｅ  Ｌｏｃａｔｏｒ）アドレスを予め前記放送チャネル情報と一対で登録保存する記憶手段の記憶内容を基に判定するステップと、前記入力済みと判定された時にその入力済みのＵＲＬアドレスを基に前記ウェブコンテンツに対して直接アクセスするステップとを有することを特徴とするウェブコンテンツ取得方法。
【請求項６】
前記入力済みでないと判定された時に入力されたＵＲＬアドレスを現在受信中の放送チャネルとを対応させて前記記憶手段に記憶するとともに、当該ＵＲＬアドレスを基に前記ウェブコンテンツに対して直接アクセスすることを特徴とする請求項５記載のウェブコンテンツ取得方法。
【請求項７】
前記放送の信号に混在する文字情報内に設定されたＵＲＬアドレスを認識し、その認識されたＵＲＬアドレスを前記記憶手段に反映させることを特徴とする請求項５または請求項６記載のウェブコンテンツ取得方法。
【請求項８】
前記放送チャネルは、テレビチャネル情報とラジオチャネル情報とのうちの少なくとも一方であることを特徴とする請求項５から請求項７のいずれか記載のウェブコンテンツ取得方法。
【請求項９】
放送チャネルが設定された時に当該放送を受信するための受信機能を含む携帯端末のウェブコンテンツ取得方法のプログラムであって、コンピュータに、現在受信中の放送チャネルにリンクしたウェブコンテンツにアクセスする際にインタネットアクセスのためのＵＲＬアドレスが入力済みかを前記放送チャネルに関連するＵＲＬ（Ｕｎｉｆｏｒｍ  Ｒｅｓｏｕｒｃｅ  Ｌｏｃａｔｏｒ）アドレスを予め前記放送チャネル情報と一対で登録保存する記憶手段の記憶内容を基に判定する処理と、前記入力済みと判定された時にその入力済みのＵＲＬアドレスを基に前記ウェブコンテンツに対して直接アクセスする処理とを実行させるためのプログラム。
【発明の詳細な説明】
【技術分野】
【０００１】
本発明は携帯端末及びそれに用いるウェブコンテンツ取得方法並びにそのプログラムに関し、特にテレビ機能を持つ携帯端末におけるウェブコンテンツの取得方法に関する。
【背景技術】
【０００２】
従来、テレビ放送においても、インタネットの普及とともに、番組に関連するホームページの開設が相次いでいるが、テレビ放送はテレビ機器で、インタネットはパーソナルコンピュータ等でそれぞれ視聴されている。
【０００３】
しかしながら、テレビ機器の中にはインタネットの閲覧機能を搭載するものも現れてきており、テレビ番組と連携してインタネットホームページをテレビ画面に自動的に表示させる方法も提案されている（例えば、特許文献１参照）。
【０００４】
この方法では、個々のテレビ番組に関連したインタネットホームページのＵＲＬ（Ｕｎｉｆｏｒｍ  Ｒｅｓｏｕｒｃｅ  Ｌｏｃａｔｏｒ）情報を組込んだテレビ番組表データを外部から記憶手段内に取込み、視聴者が現在視聴しているチャネルを表す視聴チャネル情報とテレビ番組表データとを比較して視聴している番組を特定し、その特定された番組に関連してテレビ番組表に組込まれているＵＲＬに対して自動的にアクセスしている。
【０００５】
また、ユーザがテレビ画面上に表示されたＵＲＬ情報を、記憶またはメモすることなく、正確に取込むことができ、取込んだＵＲＬ情報を用いてインタネットアクセスを行う方法も提案されている（例えば、特許文献２参照）。
【０００６】
この方法では、ＴＶ回路から得られるＵＲＬ情報を含む映像信号をディジタル化し、ディジタル画像データとして画像メモリ内に格納し、このディジタル画像データに基づいて文字認識を行い、“ｈｔｔｐ：”等の予め定めた予約語を含む文字列をＵＲＬ情報として抽出し、このＵＲＬ情報を基にインタネットへのアクセスを行っている。
【０００７】
【特許文献１】特開平１０−１７７５３２号公報（第１１〜１３頁、図１）
【特許文献２】特開平１０−２５７４０１号公報（第５〜７頁、図１）
【発明の開示】
【発明が解決しようとする課題】
【０００８】
上述した従来のウェブコンテンツの取得方法では、特許文献１記載の技術の場合、テレビ番組表を予め登録し、かつそのテレビ番組表にＵＲＬ情報を予め組込んでおかなければならない。
【０００９】
また、特許文献２記載の技術の場合には、テレビ映像信号内にＵＲＬ情報を組込んでおかなければならず、自端末以外の外部からの情報にＵＲＬ情報を組込んでおかなければならない。
【００１０】
一方、携帯電話端末の中には、テレビ機能を搭載するものも現れてきているが、携帯電話端末では、他の機能が動作中におけるウェブサイトアクセスとして、ＵＲＬリンク情報が設定されたドキュメント等閲覧している場合にのみ、リンクされたウェブサイトにアクセス可能である。しかしながら、それ以外の場合には、一旦、現在動作中の機能を終了した上で、ＵＲＬアドレスを入力したり、ブックマーク等によってＵＲＬアドレスを選択する必要がある。
【００１１】
そこで、本発明の目的は上記の問題点を解消し、現在受信中のテレビ放送に関連するウェブサイトアクセス動作において、テレビ放送受信のままの状態で、ＵＲＬアドレスの入力や選択を行うことなく、直接ウェブサイトへのアクセスを行うことができる携帯端末及びそれに用いるウェブコンテンツ取得方法並びにそのプログラムを提供することにある。
【課題を解決するための手段】
【００１２】
本発明による携帯端末は、放送チャネルが設定された時に当該放送を受信するための受信機能を含む携帯端末であって、前記放送チャネルに関連するＵＲＬ（Ｕｎｉｆｏｒｍ  Ｒｅｓｏｕｒｃｅ  Ｌｏｃａｔｏｒ）アドレスを予め前記放送チャネル情報と一対で登録保存する記憶手段と、現在受信中の放送チャネルにリンクしたウェブコンテンツにアクセスする際にインタネットアクセスのためのＵＲＬアドレスが入力済みかを前記記憶手段の記憶内容を基に判定する判定手段と、前記判定手段で前記入力済みと判定された時にその入力済みのＵＲＬアドレスを基に前記ウェブコンテンツに対して直接アクセスする手段とを備えている。
【００１３】
本発明によるウェブコンテンツ取得方法は、放送チャネルが設定された時に当該放送を受信するための受信機能を含む携帯端末のウェブコンテンツ取得方法であって、前記携帯端末側に、現在受信中の放送チャネルにリンクしたウェブコンテンツにアクセスする際にインタネットアクセスのためのＵＲＬアドレスが入力済みかを前記放送チャネルに関連するＵＲＬ（Ｕｎｉｆｏｒｍ  Ｒｅｓｏｕｒｃｅ  Ｌｏｃａｔｏｒ）アドレスを予め前記放送チャネル情報と一対で登録保存する記憶手段の記憶内容を基に判定するステップと、前記入力済みと判定された時にその入力済みのＵＲＬアドレスを基に前記ウェブコンテンツに対して直接アクセスするステップとを備えている。
【００１４】
本発明によるウェブコンテンツ取得方法のプログラムは、放送チャネルが設定された時に当該放送を受信するための受信機能を含む携帯端末のウェブコンテンツ取得方法のプログラムであって、コンピュータに、現在受信中の放送チャネルにリンクしたウェブコンテンツにアクセスする際にインタネットアクセスのためのＵＲＬアドレスが入力済みかを前記放送チャネルに関連するＵＲＬ（Ｕｎｉｆｏｒｍ  Ｒｅｓｏｕｒｃｅ  Ｌｏｃａｔｏｒ）アドレスを予め前記放送チャネル情報と一対で登録保存する記憶手段の記憶内容を基に判定する処理と、前記入力済みと判定された時にその入力済みのＵＲＬアドレスを基に前記ウェブコンテンツに対して直接アクセスする処理とを実行させている。
【００１５】
すなわち、本発明の携帯端末は、テレビ受信機能付き携帯電話において、現在受信中のテレビチャネルにリンクしたウェブコンテンツにアクセスする場合、インタネットアクセスのためのＵＲＬ（Ｕｎｉｆｏｒｍ  Ｒｅｓｏｕｒｃｅ  Ｌｏｃａｔｏｒ）アドレスの入力や、予め保存されたブックマークからの選択等の操作を行うことなく、関連するウェブコンテンツに対するアクセスを容易にする機能を設けることで、より利便性の高い、携帯電話端末を提供するものである。
【００１６】
より具体的に説明すると、本発明の携帯端末では、無線信号の送受信を行うアンテナと、端末操作を行うためのスイッチ等を持つ操作部と、音声信号を外部に送出するスピーカと、音声信号を外部より入力するマイクと、無線信号の変復調を行う無線制御部と、自端末の動作全体を全体を制御する制御部と、テレビ電波の復調を行うテレビ制御部と、テレビ電波の受信を行うテレビアンテナと、ウェブコンテンツのＵＲＬアドレスを格納する記憶部と、ウェブコンテンツのＵＲＬアドレスを判定するＵＲＬ判定部と、受信したテレビ画像やウェブコンテンツ等の表示を行う表示部とを備えている。
【００１７】
本発明の携帯端末では、上記の構成において、テレビ受信チャネルに対する関連ＵＲＬアドレスを、予めテレビ受信チャネル情報と一対で登録保存し、現在のテレビ受信チャネルとＵＲＬとを比較判定する機能を持たせている。また、本発明の携帯端末では、このＵＲＬ判定機能を持たせることで、関連するＵＲＬアドレスが入力されていない場合でも、テレビ受信状態のままでの直接ＵＲＬアドレス入力が可能となり、より利便性の向上を図ることが可能となる。
【００１８】
これによって、本発明の携帯端末では、受信中のテレビチャネルにリンクしたウェブコンテンツにアクセスする時にＵＲＬアドレス入力や、ブックマーク等に保存されたＵＲＬアドレス等を意識することなく、容易にウェブコンテンツにアクセスすることが可能となる。
【発明の効果】
【００１９】
本発明は、以下に述べるような構成及び動作とすることで、テレビ機能付きの携帯端末において、現在受信中のテレビ放送に関連するウェブサイトアクセス動作を行う際に、放送信号受信（テレビ受信またはラジオ受信）のままの状態で、ブラウザ機能の起動及びウェブサイトアクセスにおけるＵＲＬアドレスの入力や、ブックマーク等からの選択動作を行うことなく、直接ウェブサイトへのアクセスを行うことができるという効果が得られる。
【発明を実施するための最良の形態】
【００２０】
次に、本発明の実施の形態について図面を参照して説明する。図１は本発明の実施の形態による携帯端末の構成を示すブロック図である。図１において、携帯端末１はアンテナ１１と、無線制御部１２と、制御部１３と、記憶部１４と、操作部１５と、表示部１６と、テレビアンテナ１７と、テレビ制御部１８と、ＵＲＬ（Ｕｎｉｆｏｒｍ  Ｒｅｓｏｕｒｃｅ  Ｌｏｃａｔｏｒ）判定部１９と、スピーカ２０とから構成されている。
【００２１】
アンテナ１１は無線信号の送受信を行い、無線制御部１２は無線信号の変復調を行う。記憶部１４はウェブコンテンツのＵＲＬアドレスや制御部１３（コンピュータ）が実行するプログラムを格納する。制御部１３は記憶部１４のプログラムを実行することで、自端末の動作全体を制御する。
【００２２】
操作部１５は端末操作を行うためのスイッチ等を持っている。表示部１６は受信したテレビ画像やウェブコンテンツ等の表示を行う。テレビアンテナ１７はテレビ電波の受信を行い、テレビ制御部１８はテレビ電波の復調を行う。ＵＲＬ判定部１９はウェブコンテンツのＵＲＬアドレスを判定する。スピーカ２０はテレビ放送の音声信号を外部に送出する。
【００２３】
携帯端末１の操作者は、テレビを受信可能とするために、操作部１５からテレビの受信チャネルの設定要求する。この要求を受けた制御部１３はテレビ制御部１８を起動し、テレビ受信チャネルの設定を行う。
【００２４】
受信チャネル設定によって受信するテレビチャネルが決定された後、操作者は、操作部１５からそのテレビチャネルにリンクするウェブサイトアクセスのためのＵＲＬアドレスの設定を要求する。この要求を受けた制御部１３は操作部１５から通知されるＵＲＬアドレスをＵＲＬ判定部１９に通知する。
【００２５】
制御部１３からＵＲＬアドレスの通知を受けたＵＲＬ判定部１９は現在のテレビチャネルをテレビ制御部１８に要求し、チャネル情報の入手を行う。ＵＲＬ判定部１９はこの入手したチャネル情報と、制御部１３から通知されたＵＲＬアドレスを１対の情報として記憶部１４に格納する。
【００２６】
上述したテレビ受信チャネルの設定及び受信チャネルＵＲＬ登録を予め行った後、操作者が操作部１５から受信チャネルを選択し、テレビ受信の起動を要求する。この要求を受けた制御部１３はテレビ制御部１８に対して、テレビ受信の開始を要求する。要求を受けたテレビ制御部１８はテレビアンテナ１７を介して受信したテレビ信号の画像データを表示部１６にて表示を行うとともに、音声データを制御部１３を介してスピーカ２０からの出力を開始する。
【００２７】
上記の動作によって、テレビの受信を開始した後、現在受信中のチャネルにて放送されているテレビ番組に関するウェブコンテンツに対するアクセスを、操作者が操作部１５から要求する。この要求を受けた制御部１３はＵＲＬ判定部１９に対してリンクＵＲＬアドレスが入力済みかの判定を要求する。
【００２８】
ＵＲＬ判定部１９では現在の受信チャネルをテレビ制御部１８から入手し、この受信チャネルより、記憶部１４に格納される該受信チャネルに対するＵＲＬアドレスが入力済みであるかを判定し、判定結果を制御部１３に通知する。制御部１３はＵＲＬ判定部１９から通知された判定結果を基に、ＵＲＬアドレスが入力済みであれば、判定結果とともに通知されたＵＲＬアドレスに対して、無線制御部１２及びアンテナ１１を介してウェブアクセスを開始する。
【００２９】
制御部１３はアンテナ１１及び無線制御部１２を介して受信したウェブコンテンツデータを表示部１６に通知し、ウェブコンテンツの表示を行う。ここで、操作者による操作部１５からの操作によって、ウェブアクセスを継続するか、ブラウザ動作を終了するかの操作に応じて、ウェブアクセスを継続する場合には、再度、制御部１３は無線制御部１２及びアンテナ１１を介してウェブアクセスを行う。
【００３０】
また、制御部１３はブラウザ終了が選択されると、ウェブアクセス以前の選択されたチャネルのテレビ画像の表示に戻す。さらに、テレビ機能の終了が要求されると、制御部１３はテレビ制御部１８にテレビ動作の終了を促し、この要求を受けたテレビ制御部１８はテレビ受信を終了し、テレビ動作を終了する。テレビ動作が終了した後、制御部１３はテレビ起動前の状態に戻るとともに、表示部１６を介してテレビ動作開始前の表示を行う。
【００３１】
このように、本発明の実施の形態では、テレビ受信チャネルに対する関連ＵＲＬアドレスを予めテレビ受信チャンネル情報と一対で登録保存し、現在のテレビ受信チャネルとＵＲＬとを比較判定する機能を持たせることによって、テレビ機能付きの携帯端末１において、現在受信中のテレビ放送に関連するウェブサイトアクセス動作において、テレビ受信のままの状態で、ブラウザ機能の起動及びウェブサイトアクセスにおけるＵＲＬアドレスの入力やブックマーク等からの選択動作を行うことなく、ウェブサイトへの直接アクセスすることができる。
【００３２】
また、本発明の実施の形態では、このＵＲＬ判定機能を持つことによって、関連するＵＲＬアドレスが入力されていない場合でも、テレビ受信状態のままでの直接ＵＲＬアドレス入力が可能となり、より利便性の向上を図ることができる。
【実施例１】
【００３３】
図２は本発明の実施の形態による携帯電話機の構成を示すブロック図である。図２において、携帯電話機２は音声信号を外部から入力するマイク２１を設けた以外は図１に示す本発明の実施の形態と同様の構成となっており、同一構成要素には同一符号を付してある。また、同一構成要素の動作は本発明の実施の形態と同様である。尚、スピーカ２０はテレビ放送の音声信号以外にも、通話先からの音声信号を外部に送出する。
【００３４】
図３は図２の携帯電話機２の動作を示すフローチャートである。これら図２及び図３を参照して、本発明の一実施例による携帯電話機２の動作について説明する。尚、図３に示す処理は制御部１３が記憶部１４に格納されたプログラムを実行することで実現される。
【００３５】
携帯電話機２の操作者は、テレビを受信可能とするために、操作部１５からテレビの受信チャネルの設定要求する。この要求を受けた制御部１３はテレビ制御部１８を起動し、テレビ受信チャネルの設定を行う（図３ステップＳ１）。
【００３６】
受信チャネル設定によって受信するテレビチャネルが決定された後、操作者は、操作部１５からそのテレビチャネルにリンクするウェブサイトアクセスのためのＵＲＬアドレスの設定を要求する。この要求を受けた制御部１３は操作部１５から通知されるＵＲＬアドレスをＵＲＬ判定部１９に通知する。
【００３７】
制御部１３からＵＲＬアドレスの通知を受けたＵＲＬ判定部１９は現在のテレビチャネルをテレビ制御部１８に要求し、チャネル情報の入手を行う。ＵＲＬ判定部１９はこの入手したチャネル情報と、制御部１３から通知されたＵＲＬアドレスを１対の情報として記憶部１４に格納する（図３ステップＳ２）。
【００３８】
上述したテレビ受信チャネルの設定及び受信チャネルＵＲＬ登録を予め行った後、操作者が操作部１５から受信チャネルを選択し、テレビ受信の起動を要求する。この要求を受けた制御部１３はテレビ制御部１８に対して、テレビ受信の開始を要求する（図３ステップＳ３）。
【００３９】
要求を受けたテレビ制御部１８はテレビアンテナ１７を介して受信したテレビ信号の画像データを表示部１６にて表示を行うとともに、音声データを制御部１３を介してスピーカ２０からの出力を開始する（図３ステップＳ４）。
【００４０】
上記の動作によって、テレビの受信を開始した後、現在受信中のチャネルにて放送されているテレビ番組に関するウェブコンテンツに対するアクセスを、操作者が操作部１５から要求する。この要求を受けた制御部１３はＵＲＬ判定部１９に対してリンクＵＲＬアドレスが入力済みかの判定を要求する（図３ステップＳ５，Ｓ６）。
【００４１】
ＵＲＬ判定部１９では現在の受信チャネルをテレビ制御部１８から入手し、この受信チャネルより、記憶部１４に格納される該受信チャネルに対するＵＲＬアドレスが入力済みであるかを判定し、判定結果を制御部１３に通知する。制御部１３はＵＲＬ判定部１９から通知された判定結果を基に、ＵＲＬアドレスが入力済みであれば、判定結果とともに通知されたＵＲＬアドレスに対して、無線制御部１２及びアンテナ１１を介してウェブアクセスを開始する（図３ステップＳ７）。
【００４２】
制御部１３はアンテナ１１及び無線制御部１２を介して受信したウェブコンテンツデータを表示部１６に通知し、ウェブコンテンツの表示を行う（図３ステップＳ８）。ここで、操作者の操作部１５に対する、ウェブアクセスを継続するか、ブラウザ動作を終了するかの操作によって、制御部１３はウェブアクセスを継続する場合、再度、無線制御部１２及びアンテナ１１を介してウェブアクセスを行う（図３ステップＳ９）。
【００４３】
また、制御部１３はブラウザ終了が選択されると、ウェブアクセス以前の選択されたチャネルのテレビ画像の表示に戻す。さらに、テレビ機能の終了が要求されると（図３ステップＳ１０）、制御部１３はテレビ制御部１８にテレビ動作の終了を促し、この要求を受けたテレビ制御部１８はテレビ受信を終了し、テレビ動作を終了する。テレビ動作が終了した後、制御部１３はテレビ起動前の状態に戻るとともに、表示部１６を介してテレビ動作開始前の表示を行う。
【００４４】
このように、本実施例では、テレビ受信チャネルに対する関連ＵＲＬアドレスを予めテレビ受信チャンネル情報と一対で登録保存し、現在のテレビ受信チャネルとＵＲＬとを比較判定する機能を持たせることによって、テレビ機能付きの携帯電話機２において、現在受信中のテレビ放送に関連するウェブサイトアクセス動作において、テレビ受信のままの状態で、ブラウザ機能の起動及びウェブサイトアクセスにおけるＵＲＬアドレスの入力やブックマーク等からの選択動作を行うことなく、ウェブサイトへの直接アクセスすることができる。
【００４５】
また、本実施例では、このＵＲＬ判定機能を持つことによって、関連するＵＲＬアドレスが入力されていない場合でも、テレビ受信状態のままでの直接ＵＲＬアドレス入力が可能となり、より利便性の向上を図ることができる。
【実施例２】
【００４６】
図４は本発明の他の実施例による携帯電話機の構成を示すブロック図である。図４において、本発明の他の実施例による携帯電話機３は、テレビアンテナ１７及びテレビ制御部１８の代わりに、ラジオアンテナ３１及びラジオ制御部３２を設けた以外は図２に示す本発明の一実施例による携帯電話機２と同様の構成となっており、同一構成要素には同一符号を付してある。また、同一構成要素の動作は本発明の一実施例と同様である。ここで、ラジオアンテナ３１はラジオ電波の受信を行い、ラジオ制御部３２はラジオアンテナ３１で受信したラジオ電波の復調を行う。
【００４７】
図５は本発明の他の実施例による携帯電話機３の動作を示すフローチャートである。これら図４及び図５を参照して本発明の他の実施例による携帯電話機３の動作について説明する。尚、図５に示す動作は、上述した本発明の一実施例と同様に、制御部１３が記憶部１４に格納されたプログラムを実行することで実現される。
【００４８】
まず、携帯電話機３の操作者は、ラジオを受信可能とするために、操作部１５からラジオの受信チャネルの設定要求する。この要求を受けた制御部１３はラジオ制御部３２を起動し、ラジオ受信チャネルの設定を行う（図５ステップＳ２１）。
【００４９】
受信チャネル設定によって、受信するラジオチャネルが決定された後、操作者は操作部１５からそのラジオチャネルにリンクするウェブサイトアクセスのためのＵＲＬアドレスの設定を要求する。この要求を受けた制御部１３は操作部１５から通知されるＵＲＬアドレスをＵＲＬ判定部１９に通知する。
【００５０】
制御部１３からＵＲＬアドレスの通知を受けたＵＲＬ判定部１９は現在のラジオチャネルをラジオ制御部３２に要求し、チャネル情報の入手を行う。ＵＲＬ判定部１９はこの入手したチャネル情報と、ＵＲＬアドレスとを１対の情報として記憶１４に格納する（図５ステップＳ２２）。
【００５１】
ラジオ受信チャネルの設定及び受信チャネルに対応するＵＲＬの登録を予め行った後、操作者が操作部１５から受信チャネルを選択し、ラジオ受信の起動を要求する。この要求を受けた制御部１３はラジオ制御部３２に対して、ラジオ受信の開始を要求する（図５ステップＳ２３）。
【００５２】
要求を受けたラジオ制御部３２はラジオアンテナ３１を介して受信したラジオ信号の音声データを制御部１３を介してスピーカ２０に送り、スピーカ２０からの出力を開始する（図５ステップＳ２４）。同時に、表示部１６を介してラジオ受信動作中である旨の表示を行う。上記の動作によって、ラジオ放送の受信を開始した後、現在受信中のチャネルにて放送されているラジオ番組に関するウェブコンテンツに対するアクセスを、操作者が操作部１５から要求する。
【００５３】
この要求を受けた制御部１３はＵＲＬ判定部１９に対して、リンクＵＲＬアドレスが入力済みかの判定を要求する（図５ステップＳ２５，Ｓ２６）。ＵＲＬ判定部１９では現在の受信チャネルをラジオ制御部３２から入手し、この受信チャネルから記憶部１４に格納されている当該受信チャネルに対するＵＲＬアドレスが入力済みであるかを判定し、判定結果を制御部１３に通知する。
【００５４】
制御部１３はＵＲＬ判定部１９から通知された判定結果を基に、ＵＲＬアドレスが入力済みであれば、判定結果とともに通知されたＵＲＬアドレスに対して、無線制御部１２及びアンテナ１１を介してウェブアクセスを開始する（図５ステップＳ２７）。
【００５５】
制御部１３はアンテナ１１及び無線制御部１２を介して受信したウェブコンテンツデータを表示部１６に通知し、ウェブコンテンツの表示を行う（図５ステップＳ２８）。ここで、操作者の操作部１５に対する、ウェブアクセスを継続するか、ブラウザ動作を終了するかの操作によって、制御部１３はウェブアクセスを継続する場合、再度、無線制御部１２及びアンテナ１１を介してウェブアクセスを行う（図５ステップＳ２９）。
【００５６】
また、制御部１３はブラウザ終了が選択されると、ウェブアクセス以前の選択されたチャネルのラジオ画像の表示に戻る。さらに、制御部１３はラジオ機能の終了が要求されると（図５ステップＳ３０）、ラジオ制御部３２にラジオ動作の終了を促し、この要求を受けたラジオ制御部３２はラジオ受信を終了し、ラジオ動作を終了する。ラジオ動作が終了した後、制御部１３はラジオ起動前の状態に戻るとともに、表示部１６を介してラジオ動作開始前の表示を行う。
【実施例３】
【００５７】
図６は本発明の別の実施例による携帯電話機の構成を示すブロック図である。図６において、本発明の別の実施例による携帯電話機４は、文字情報解析部４１を設けた以外は図２に示す本発明の一実施例による携帯電話機２と同様の構成となっており、同一構成要素には同一符号を付してある。また、同一構成要素の動作は本発明の一実施例と同様である。
【００５８】
本発明の一実施例による動作では、操作者によって受信チャネルに関連するＵＲＬアドレスを予め入力するか、もしくはテレビ受信動作中のウェブアクセス操作時に、ＵＲＬアドレスを入力する必要がある。これに対し、本実施例では文字情報解析部４１を設けることによって、テレビ受信データ内に埋め込まれた文字情報内に設定されているＵＲＬアドレスを自動的に認識し、操作者による操作部１５による指示にてＵＲＬ判定部１９に通知することで、現在の受信チャネル情報とＵＲＬアドレスとを一対の情報として記憶部１４に格納する。
【００５９】
また、本実施例では、操作者によって記憶部１４に格納されなかった場合に、ウェブアクセス要求が発生すると、ＵＲＬ判定部１９にてこの文字情報として送られたＵＲＬアドレスを保持しておくことで、現在の受信チャネルに関するウェブサイトに対するダイレクトアクセスを行うことができる。
【産業上の利用可能性】
【００６０】
インタネットに接続するための通信機能と、テレビやラジオの放送を受信するための受信機能とを備えることによって、携帯電話機のみならず、ＰＤＡ（Ｐｅｒｓｏｎａｌ  Ｄｉｇｉｔａｌ  Ａｓｓｉｓｔａｎｔ）等の携帯端末にも適用することができる。
【図面の簡単な説明】
【００６１】
【図１】本発明の実施の形態による携帯電話機の構成を示すブロック図である。
【図２】本発明の一実施例による携帯電話機の構成を示すブロック図である。
【図３】本発明の一実施例による携帯電話機の動作を示すフローチャートである。
【図４】本発明の他の実施例による携帯電話機の構成を示すブロック図である。
【図５】本発明の他の実施例による携帯電話機の動作を示すフローチャートである。
【図６】本発明の別の実施例による携帯電話機の構成を示すブロック図である。
【符号の説明】
【００６２】
１  携帯端末
２〜４  携帯電話機
１１  アンテナ
１２  無線制御部
１３  制御部
１４  記憶部
１５  操作部
１６  表示部
１７  テレビアンテナ
１８  テレビ制御部
１９  ＵＲＬ判定部
２０  スピーカ
２１  マイク
３１  ラジオアンテナ
３２  ラジオ制御部
４１  文字情報解析部
【図１】
2005025661.tif 000003
【図２】
2005025661.tif 000004
【図３】
2005025661.tif 000005
【図４】
2005025661.tif 000006
【図５】
2005025661.tif 000007
【図６】
2005025661.tif 000008